(57)【要約】【課題】記録済みコンテンツを効率良く再生するコンテンツ管理技術を提供する。【解決手段】コンテンツを格納するコンテンツ格納部と、前記コンテンツ格納部に格納されるコンテンツの属性に基づいて複数のコンテンツが割り当て可能であり、任意の再生予約時間帯が設定されているタイマーグループ毎にコンテンツを管理するコンテンツ管理部と、を有することを特徴とするコンテンツ管理装置。【選択図】図１
2013192002.tif 000002
【特許請求の範囲】
【請求項１】
コンテンツを格納するコンテンツ格納部と、
前記コンテンツ格納部に格納されるコンテンツの属性に基づいて複数のコンテンツが割り当て可能であり、任意の再生予約時間帯が設定されているタイマーグループ毎にコンテンツを管理するコンテンツ管理部と
を有することを特徴とするコンテンツ管理装置。
【請求項２】
前記コンテンツ管理部は、
前記コンテンツ格納部に格納するコンテンツを、前記タイマーグループのいずれかに振り分け処理するコンテンツ振り分け部を有し、
コンテンツの記録予約操作時に前記振り分け処理が行われることを特徴とする請求項１に記載のコンテンツ管理装置。
【請求項３】
前記コンテンツの記録予約操作時に、当該コンテンツの属性に基づいて、属性が近似するタイマーグループを報知するタイマーグループ候補報知部を有することを特徴とする請求項１又は２に記載のコンテンツ管理装置。
【請求項４】
請求項１から３までのいずれか１項に記載のコンテンツ管理装置と、
前記グループ毎の再生予約時間帯に基づいて、前記タイマーグループに属するコンテンツの再生を行うコンテンツ再生部と、を有することを特徴とするコンテンツ再生装置。
【請求項５】
前記コンテンツ再生部は、
コンテンツの再生回数とコンテンツの属性とに基づいて、前記再生回数の少ないコンテンツ又は前記再生回数の大きいコンテンツから順番に自動再生処理を行うことを特徴とする請求項４に記載のコンテンツ再生装置。
【請求項６】
さらに、再生済みコンテンツの処理を行う再生済みコンテンツ処理部を有し、
前記再生済みコンテンツ処理部は、
単位時間当たりの記録予定時間と再生予定時間とを計算し、
前記記録予定時間と前記再生予定時間との長さの比較に基づいて、
前記記録予定時間が前記再生予定時間よりも長い 場合には、再生時間不足をユーザに報知する報知部を有することを特徴とする請求項５に記載のコンテンツ再生装置。
【請求項７】
番組を格納する番組格納部と、
前記番組格納部に格納される番組の属性に基づいて複数の番組が割り当て可能であり、任意の再生予約時間帯が設定されているタイマーグループ毎に番組を管理する番組管理部と、を有し、
前記番組管理部は、
コンテンツの記録予約操作時に前記タイマーグループのいずれかに振り分け処理することを特徴とする番組管理装置。
【請求項８】
コンテンツを管理するコンテンツ管理方法であって、
コンテンツ格納部に格納されるコンテンツの属性に基づいて複数のコンテンツが割り当て可能であり、任意の再生予約時間帯が設定されているタイマーグループを生成するステップと、
前記コンテンツ格納部に格納するコンテンツを、コンテンツの記録予約操作時に前記タイマーグループのいずれかに振り分けるステップと
を有することを特徴とするコンテンツ管理方法。
【請求項９】
請求項８に記載のコンテンツ管理方法をコンピュータに実行させるためのプログラム。
【発明の詳細な説明】
【技術分野】
【０００１】
本発明は、コンテンツ管理技術に関する。
【背景技術】
【０００２】
近年、デジタル放送受信装置などを利用して、デジタル放送番組などの録画、再生を行う技術が多く提案され、便利な機能として用いられている。
【０００３】
外付け型、内蔵型を問わず、録画・再生機能を持つデジタル放送テレビジョン装置も一般化しており、例えば、ＵＳＢ接続可能なハードディスク装置を用いるシステムや、ＤＶＤ、ＢＤレコーダやＮＡＳなどを用いるシステムも一般化しつつある。
【０００４】
このような録画機能のうち便利な機能として、ある条件に合致した番組を自動的に録画する自動録画機能、ある条件に合致した番組を繰り返し録画する繰り返し録画機能がある。このような機能を有するテレビ・レコーダでは、録画処理が行われる毎に操作を行うことなく、自動的に所望の番組群を録画していくことができる。しかしながら、録画済み番組が記録装置内に大量にたまると、記録装置の記憶領域が未視聴の録画済み番組で占有されてしまうこと、再生時に番組を探すことも難しくなること、などの問題があり、録画済み番組の再生を支援する機能が必要である。
【０００５】
下記特許文献１は、番組の録画予約時に再生時刻を設定すること、再生時刻をＥＰＧ上に表示すること、を開示している。
【０００６】
下記特許文献２は、番組の録画予約時に、ドラマシリーズなどのいわゆるシリーズ物の録画を行う際に、あらかじめプレイリストを作成することを開示している。
【０００７】
下記特許文献３は、録画機能つきテレビ・レコーダに関する発明であり、録画コンテンツと視聴予定番組(視聴予約)が大量に存在する場合に、視聴予約を阻害せずに録画コンテンツを再生できるように支援することを目的としている。再生時に、再生コンテンツを２つ、あるいは複数選択し、それを再生する時間帯を指定するものである。より詳細には、番組の分割回数と一回あたりの時間を決めて自動再生させ、さらに、視聴予約を回避するかどうかを指定することで、再生時間を予約するものである。
【先行技術文献】
【特許文献】
【０００８】
【特許文献１】特開２００２−１７１４６７号公報
【特許文献２】特開２００６−１７２６１５号公報
【特許文献３】特開２００６−１４８４９１号公報
【発明の概要】
【発明が解決しようとする課題】
【０００９】
しかしながら、特許文献１に記載の技術では、単一の番組に対する再生時刻指定を行うことが記載されているものの、繰り返し予約や、番組がグループ化された場合についての解決手段の開示はない。
【００１０】
また、特許文献２に記載の技術では、ドラマなどのシリーズ物の録画を想定するものであり、また、自動再生に関する開示はない。
また、特許文献３に記載の技術では、録画済みの番組の再生のみに言及している。
【００１１】
このように、いずれの文献についても、自動的に再生するにはユーザ操作などの手間がかかり、たまっていく番組を効率よく再生する用途には適さないという問題がある。
【００１２】
本発明は、記録済みコンテンツを効率良く再生するコンテンツ管理技術を提供することを目的とする。
【課題を解決するための手段】
【００１３】
本発明の一観点によれば、コンテンツを格納するコンテンツ格納部と、前記コンテンツ格納部に格納されるコンテンツの属性に基づいて複数のコンテンツが割り当て可能であり、任意の再生予約時間帯が設定されているタイマーグループ毎にコンテンツを管理するコンテンツ管理部と、を有することを特徴とするコンテンツ管理装置が提供される。
【００１４】
コンテンツ再生時間を指定するグループを割り当てるため、再生時間の設定の手間を軽減することができる。
【００１５】
前記コンテンツ管理部は、前記コンテンツ格納部に格納するコンテンツを、前記タイマーグループのいずれかに振り分け処理するコンテンツ振り分け部を有し、コンテンツの記録予約操作時に前記振り分け処理が行われることが好ましい。
【００１６】
コンテンツ記録時にタイマーグループへの振り分けを行うため、再生時の手間が省ける。
【００１７】
また、前記コンテンツの記録予約操作時に、当該コンテンツの属性に基づいて、属性が近似するタイマーグループを報知するタイマーグループ候補報知部を設けても良い。これにより、タイマーグループの設定時にユーザがどのタイマーグループに振り分けるかの参考とすることができる。
【００１８】
上記のいずれか１に記載のコンテンツ管理装置と、前記グループ毎の再生予約時間帯に基づいて、前記タイマーグループに属するコンテンツの再生を行うコンテンツ再生部と、を有することを特徴とするコンテンツ再生装置であっても良い。
【００１９】
前記コンテンツ再生部は、コンテンツの再生回数とコンテンツの属性とに基づいて、前記再生回数の少ないコンテンツ又は前記再生回数の大きいコンテンツから順番に自動再生処理を行うようにすると良い。
【００２０】
さらに、再生済みコンテンツの処理を行う再生済みコンテンツ処理部を有し、前記再生済みコンテンツ処理部は、単位時間当たりの記録予定時間と再生予定時間とを計算し、前記記録予定時間と前記再生予定時間との長さの比較に基づいて、前記記録予定時間が前記再生予定時間よりも長い場合には、再生時間不足をユーザに報知する報知部を有することが好ましい。
【００２１】
本発明の他の観点によれば、コンテンツを管理するコンテンツ管理方法であって、コンテンツ格納部に格納されるコンテンツの属性に基づいて複数のコンテンツが割り当て可能であり、任意の再生予約時間帯が設定されているタイマーグループを生成するステップと、前記コンテンツ格納部に格納するコンテンツを、コンテンツの記録予約操作時に前記タイマーグループのいずれかに振り分けるステップと、を有することを特徴とするコンテンツ管理方法が提供される。
【００２２】
本発明は、上記に記載のコンテンツ管理方法をコンピュータに実行させるためのプログラムであっても良く、当該プログラムを記録するコンピュータ読み取り可能な記録媒体であっても良い。
【発明の効果】
【００２３】
本発明によれば、記憶済みのコンテンツを効率良く再生することができる。
【図面の簡単な説明】
【００２４】
【図１】本発明の実施の形態による録画機能付きデジタル放送受信装置の一構成例を示す機能ブロック図である。
【図２】図１の管理部の詳細な構成例を示す機能ブロック図である。
【図３】タイマーグループの設定処理を行う処理の流れを示すフローチャート図である。
【図４】本実施の形態による、番組を所定のタイマーグループに割り当てる処理の流れを示すフローチャート図である。
【図５】タイマーグループに基づいて、番組を再生する処理の流れを示すフローチャート図である。
【図６】図６は、処理に沿った表示例を示す図であり、図６（ａ）は、ドラマを昼に見る（再生する）タイマーグループの例であり、図６（ｂ）は昨晩のニュースを出かける前に見る（再生する）タイマーグループの例を示す図である
【図７】図４の処理に応じた表示の遷移の様子を示す図である。
【図８】再生済み番組の処理の例を示すフローチャート図である。
【図９】本発明の第２の実施の形態による録画・再生予定時刻表示処理に流れを示すフローチャート図である。
【図１０】図１０は、図９の処理における表示例を示す図である。
【図１１】典型的な再生処理全体の流れを示すフローチャート図である。
【図１２】タイマーグループからの番組の自動削除処理の設定例を示す図である。
【図１３】本実施の形態による処理のうち、ＴＧＴを作成する処理の流れの他の例を示す図であり、図４に対応する処理の流れを示す図である。
【図１４Ａ】本実施の形態による処理のうち、ＴＧＴに基づく再生処理の順序の詳細について説明する図である。
【図１４Ｂ】本実施の形態による処理のうち、ＴＧＴに基づく再生処理の順序の詳細について説明する図である。
【発明を実施するための形態】
【００２５】
本明細書において、コンテンツの例として、テレビ番組を例にして説明したが、これに限定されるものではない。また、装置の例として録画機能付きデジタル放送受信装置を例にして説明したが、録画と再生機能とが別個の装置により達成されるものでも良い。
【００２６】
以下に、本発明の第１の実施の形態によるコンテンツ管理技術を用いた（コンテンツ管理装置を備えた）コンテンツ録画再生装置について、録画機能を有する録画機能付きデジタル放送受信装置を例にして図面を参照しながら説明を行う。
【００２７】
図１は、本実施の形態による録画機能付きデジタル放送受信装置の一構成例を示す機能ブロック図である。図１に示すように、本実施の形態による録画機能付きデジタル放送受信装置Ａは、番組を選局するチューナー（選局部）１と、チューナー（選局部）１により選局した放送信号を映像／音声／データ等に分離する映像／音声／データ分離部３と、音声信号と映像信号とをデコードする音声／映像デコード部５と、音声信号を合成し、スピーカなどの音声出力部へ出力する音声信号合成部７と、映像／ＯＳＤ信号を表示信号として合成し、合成した信号をＬＣＤディスプレイなどの映像出力部に出力する映像／ＯＳＤ信号合成部１１と、全体の機能を制御する制御部（ＣＰＵ）１５と、各種データやプログラムを記憶する記憶部１７と、入力操作などを行う入力部２５と、を有している。入力部２５は、例えば、遠隔操作が可能なリモコン装置などでも良い。
【００２８】
映像／ＯＳＤ信号合成部１１は、ＥＰＧを作成するＥＰＧ作成部１１ａを備えている。
記憶部１７は、録画済み番組などの格納されたコンテンツを格納するハードディスク（ＨＤＤ）などのコンテンツ格納部２１と、後述するタイマーグループテーブル２３などを格納し録画済みコンテンツの再生タイミング（コンテンツ再生時間帯：コンテンツ再生予定時間）に依存するコンテンツの分類が行われているコンテンツ再生管理テーブルと、を有している。
【００２９】
図２は、制御部１５の詳細な構成を示す機能ブロック図である。図２に示すように、制御部１５は、コンテンツを管理するコンテンツ管理部１５ａを有している。コンテンツ管理部１５ａには、録画番組の選択操作を検出する録画番組選択検出部１５−１と、録画先である録画対象機器の指定を検出する録画先指定検出部１５−２と、番組グループ（タイマーグループ）の選択操作を検出する番組グループ選択検出部１５−３と、時刻を検出するタイマ１５−４と、選択された録画番組の再生時間帯を検出する再生時間帯検出部１５−５と、対象番組を再生する処理を行う対象番組再生部１５−６と、再生済番組の処理を行う再生済番組処理部１５−７と、を有している。さらに、コンテンツ管理部１５ａは、タイマーグループの設定を行うタイマーグループ設定部１５−１０と、タイマーグループのリストを表示させるタイマーグループリスト表示処理部１５−１１と、選局・視聴予約の割込処理を検出する選局・視聴予約割込み検出部１５−１２と、タイマーグループに入る可能性がある番組候補を報知するタイマーグループ番組候補報知部１５−１３と、を有している。番組グループ選択検出部１５−３は、番組を再生時間帯に依存してタイマーグループに振り分ける番組振り分け部１５−３ａを有していても良い。コンテンツ管理部１５ａは、コンテンツ格納部２１に格納されるコンテンツの属性等に基づいて複数のコンテンツがタイマーグループテーブルなどにより割り当て可能であり、任意の再生予約時間帯が設定されているタイマーグループ毎にコンテンツを管理することができる。
【００３０】
図３は、タイマーグループの設定処理を行う処理の流れを示すフローチャート図である。図６は、処理に沿った表示例を示す図であり、図６（ａ）は、ドラマを昼に見る（再生する）タイマーグループの例であり、図６（ｂ）は昨晩のニュースを出かける前に見る（再生する）タイマーグループの例を示す図である。処理が開始され（ステップＳ１：  Ｓｔａｒｔ）、タイマーグループ設定部１５−１０によるタイマーグループの設定処理が行われる（ステップＳ２）。まず、映像出力部に、図６（ａ）、（ｂ）に示すような入力フォームが表示され、３１ａから３７ｂまでに示す入力領域が表示される。ここで、グループ名３１ａ・３１ｂ、再生時間３３ａ・３３ｂ、電源の設定３５ａ・３５ｂ、再生順３７ａ・３７ｂに、以下の手順に沿って、設定を行っていく。まず、ステップＳ３において、番組の番組属性に基づいてタイマーグループ名（ＩＤでも良い。）を設定する。図６（ａ）では、番組の属性情報としてジャンルがドラマで、視聴予定者がお母さんという設定３１ａがグループ名として表示されている。図６（ｂ）では、番組の属性情報としてジャンルがニュースで、視聴予定者がお父さんという設定３１ｂがグループ名として表示されている。これらの項目を設定した後に、そのグループ名表示を修正することもできるが、最終的に設定されたグループ名がタイマーグループ名となる（ステップＳ３）。タイマーグループ名の設定において、同様のタイマーグループがある場合には、その旨を報知して、ユーザにタイマーグループ名を変更するように促すようにすると良い。ここで、「同様」とは、グループ名が全く同じ場合だけでなく、紛らわしい場合も含む。「紛らわしい場合」とは、例えば、ａ）グループ名が１文字しか違わない、ｂ）語尾に１文字追加されているだけ、などが挙げられる。
【００３１】
さらに、時間設定欄３３ａ・３３ｂは、当該タイマーグループに属する番組の再生時間帯の設定を行う欄であり（ステップＳ４）、例えば、図６（ａ）では、月曜から金曜までの午後２時から３時までに、再生を行うことを示している。また、電源３５ａにおける、ＯＮにしないとは、再生不可能にすること、例えば外出時であることを考慮して、電源がＯＦＦの場合にまで、電源をＯＮにして再生することはしない設定とすることを意味し、目覚まし的な意味を持つ。電源３５ｂにおける、ＯＮにするとは、電源がオフの場合でも電源をオンにして再生可能にする設定とすることを意味し、在宅時のみに本技術を適用することを意図する（ステップＳ５）。
【００３２】
次いで、再生順を設定する。再生順の設定３７ａの古い順とは、ドラマなどの物語性を重視する時系列的に古い順番から見た方が良い番組に適用され、再生順の設定３７ｂの新しい順とは、例えばニュース番組などのように、新しい順番に見た方が、すぐに現時点での出来事を知ることが出来るという意味で適した設定である（ステップＳ６）。タイマーグループリスト表示処理部１５−１１が、上記のような表示処理を行なう。
【００３３】
次いで、ステップＳ７において、ステップＳ２からステップＳ６までの設定により、タイマーグループ名を確認してタイマーグループを設定済みとして、図３の処理を終了することができる（Ｅｎｄ：  ステップＳ８）。
【００３４】
図４は、本実施の形態による、番組を所定のタイマーグループに割り当てる処理の流れを示すフローチャート図である。図７は、処理に応じた表示の様子を示す図である。
【００３５】
まず、ステップＳ１１において処理を開始し（Ｓｔａｒｔ）、図７の１）に示すように、録画したい番組を電子番組表から選択すると、制御部１５の録画番組選択検出部１５−１が、操作対象番組を検出する（ステップＳ１２）。次いで、図７の２）の示すように、例えば、番組情報表示と、番組の予約方法の選択肢とが表示され、録画先指定検出部１５−２により、視聴予約、ＢＤ録画予約、ＨＤＤ録画予約、予約しない、の選択ボタンのいずれかが押されたことが検出することで（ステップＳ１３）、録画先が指定される。ステップＳ１４で、選局・視聴予約割込み検出部１５−１２が、録画先指定検出部１５−２による録画予約（図７の２）操作を検出した場合には（ＢＤ予約又はＨＤＤ予約）（ＹＥＳ）、ステップＳ１６に進む。選局・視聴予約割込み検出部１５−１２が、録画予約を検出しない場合には（視聴予約：ＮＯ）、ステップＳ１５に進み、検出された視聴予約処理に進むが、その視聴予約処理の内容の詳細は省略する。
【００３６】
尚、図８（ａ）に示すように、ステップＳ１４で、タイマーグループ表示処理部１５−１１が、タイマーグループ毎の録画済み時間等を表示することで、どのような設定になっているかを簡単に確認することができる（ステップＳ１４−１）。
【００３７】
ステップＳ１６においては、図７の３）に示すように、録画するコンテンツのタイマーグループを事前に選択するために、対象となるタイマーグループを選択する操作を行い（図７の３）では、タイマーグループＡが選択されている。）、グループ（タイマーグループ）選択部１５−３が、タイマーグループＡを対象タイマーグループ候補として選択し、ステップＳ１７において、その確定操作が検出されると、ステップＳ１８において、図７の３）に示すように、選択したタイマーグループに番組を追加する（ステップＳ１７：  Ｅｎｄ）。
【００３８】
以上の処理により、タイマーグループテーブル（ＴＧＴ）（図７の３）に示すタイマーグループＡ、タイマーグループＢの蓄積に伴って、タイマーグループ毎に蓄積された、番組情報群に相当するタイマーグループテーブルが作成される。
【００３９】
図５は、タイマーグループに基づいて、番組を再生する処理の流れを示すフローチャート図である。図５に示すように、ステップＳ２１において処理が開始される（Ｓｔａｒｔ）。ステップＳ２２においてＴＧＴを参照し、タイマ１５−４により計時し、ステップＳ２３において、再生時間帯検出部１５−５が、いずれかのＴＧＴにおいて、図７の３）のタイマーグループ毎に設定された再生を開始させるための再生開始時間に近づいていることを検出し、ステップＳ２４において、再生時間帯検出部１５−５が、再生時間になったことを検出すると（ステップＳ２４でＹＥＳ）、対象番組再生部１５−６が、ステップＳ２５において、ＴＧＴの優先順に沿って録画済み番組の再生処理を行う。次いで、ステップＳ２６において再生終了条件に合致すると（ＹＥＳ）、ステップＳ２７で再生終了処理を行い、処理を終了する（ｅｎｄ：  ステップＳ２８）。
【００４０】
再生処理の詳細について、以下に説明する。タイマ１５−４を監視しておき、図７に示すような設定時刻、例えば日曜日のＡＭ７時になると、自動的にタイマーグループ内の番組、ここでは、英会話１の再生を開始する。そして、図６に示すような設定に応じて、録画機能付きデジタル放送受信装置を自動起動する。再生の順序は図６に示す設定に従う。
【００４１】
上記のように、新しい順の再生とは、ニュース等の、タイムリーな番組が想定される。  一方、古い順の再生とは、教育番組やドラマなどのいうに、再生する順序が重要な番組が想定される。
【００４２】
また、再生処理のバリエーションとしては、タイマーグループの最後まで再生した場合は、ループ再生するようにしても良い。
【００４３】
再生を終了するのは以下の条件が挙げられる。
１）タイマーグループで設定した時間が経過した時点。
２）ユーザ操作により、再生停止ボタンが押された時点。
３）放送への選局(切替)が行われた時点。
【００４４】
尚、番組の途中まで、又は、番組の最後まで再生を行って停止した場合には、再生を停止した箇所を、記憶部１７に記憶しておくと良い。そして、「古い順」に再生する設定の場合には、次回の再生処理において、記憶したところからレジューム再生を行うことができる。尚、番組の途中で再生が中止した場合には、例えば、番組開始からの経過時間を記憶しておけば良い。
【００４５】
ステップＳ２７の再生終了処理とは、例えば、再生済番組処理部１５−７が、再生済みの番組について行う処理であり、例えば、図８（ｂ）に示すように、ステップＳ２７―１において、再生済み番組の番組種別を検出する。ステップＳ２７−１において、ステップＳ２７−１の検出結果が、新しさ（タイムリーさ）を重視する例えばニュースであれば、ステップＳ２７−３に進み、再生した番組を削除するのではなく、放送時間が古い番組から順番にタイマーグループから削除する。一方、ドラマなどの場合には、特に削除に関するポリシーがないため、ステップＳ２７−４に進み、ユーザに対して削除の要否のメッセージと削除操作を促す表示とを行う。
【００４６】
以上のように、本実施の形態によれば、録画したい番組を録画する操作に沿って、ある時間帯に再生する番組であって、番組属性が関連する番組をグループ化したタイマーグループを作成し、このタイマーグループに基づいて、再生時間帯に順番に再生させる仕組みを作ることができる。従って、録画済み番組を、追加の操作を行わずに再生していくことができるため、再生せずに残ってしまう番組数を少なくすることができる。例えば、子供向け番組や英会話番組などを一つのタイマーグループとしておくことで、それらを特定の時間に自動的に連続再生させることができるため、視聴者の都合の良い時間帯に関連する番組を視聴することができるという利点がある。
【００４７】
次に、本発明の第２の実施の形態による番組録画再生装置について図面を参照しながら説明を行う。本実施の形態による録画・再生予定時刻表示技術は、再生支援技術の一環として、未視聴番組が際限なく増えていく状態を回避するために、タイマーグループを作成するとともに、あるタイマーグループに対する例えば１週間当たりの録画予定時間、再生予定時間を計算できるようにしたものである。
【００４８】
図９は、本実施の形態による録画・再生予定時刻表示処理に流れを示すフローチャート図である。図１０は、図９の処理における表示例を示す図である。
【００４９】
図１０の表示は、タイマーグループの予約設定画面に表示を追加することができる。
ここで、未視聴時間は、同一のタイマーグループの未視聴番組の合計時間である。録画予定時間は、同一タイマーグループの、例えば、この先１週間の録画予約時間合計である。番組変更等で録画時間が変わる可能性があるため、一週間の推計で十分である。また、再生予定時間は、一週間の再生時間であり、タイマーグループの設定値から計算できる値である。
【００５０】
図９に示すように、図４のステップＳ１８における再生順序の整理処理として、まず、ステップＳ７１において、タイマーグループに対する録画予定時間、再生予定時間を計算する（例えば、１週間当たりなどの単位期間当たりの録画予定時間、再生予定時間を計算する）。次いで、ステップＳ７２において、録画予定時間と再生予定時間とを比較する。
【００５１】
ここで、録画予定時間と再生予定時間との長さが等しい場合には（ステップＳ７２の＝）、ステップＳ７３に進み、単なるタイムシフト再生を行えば、処理に問題はない。
【００５２】
また、録画予定時間よりも再生予定時間が長い場合には（ステップＳ７２の＜） の場合には、ステップＳ７４に進み、途中で番組がなくなってしまうが、途中で再生を中止すれば、特に問題にない。或いは、教育番組などの場合には、ループ再生にしても良いし、ドラマやニュースの場合には、途中で再生を打ち切れば良い。
【００５３】
録画予定時間よりも再生予定時間が短い場合には（ステップＳ７２の＞）録画する時間＞再生する時間の場合には、ステップＳ７５に進み、再生時間不足をユーザに報知する。この状況では、番組変更を行うか、視聴時に早送り処理をしない限り、ＨＤＤ内に未視聴番組が増えていくことになる。このようなケースは、録画予約を多めに入れる傾向のあるユーザの場合に生じやすい。意図せずこの状態にしまうと、録画済みの番組を見る時間がなくなってしまう。
【００５４】
図１０は、タイマーグループ選択画面の例であり、図７の３）の表示と同様である。図１２においては、テレビ番組表において、番組情報５３を表示するとともに、タイマーグループＡ５５及びはタイマーグループＢ５７の属性と、未視聴時間、録画予定時間、再生予定時間の計算結果５５ａ、５５ｂが表示される。設定しないボタン６１も設けられおり、これを押すと、録画予約した番組について、いずれのタイマーグループにも設定しないことになる。他のタイマーグループ表示がなされるようにしても良い。
【００５５】
例えば、タイマーグループとしてＡ、Ｂ、Ｃ、Ｄ、Ｅ、Ｆがあった場合、「設定しない」ボタン６１を押すと、現在表示されているタイマーグループＡ、Ｂが、タイマーグループＣ、Ｄに変わり、更に、「設定しない」ボタン６１を押すと、タイマーグループＣ、Ｄが、タイマーグループＥ、Ｆに変わる。そして、更に、「設定しない」ボタン６１を押すと、いずれのタイマーグループにも設定しないようにする。
【００５６】
ここでは、タイマーグループＡ５５が選択されており、それに応じて、図１１の処理に基づいて、「再生時間が不足しています。未視聴時間の増加にご注意ください。」などの、時間不足の警告メッセージの報知がなされている。但し、予約操作自体は可能としても良い。番組を貯めておいて、後でまとめてみる意図がある場合もあるからである。また、早送りしながら見る場合もあるからである。その場合には、例えば、再生時間の不足をグラフィックで表示して、どの程度の不足かを知らせたり、その画面から、余分な番組を削除することができるＵＩを設けたりしても良い。
【００５７】
ここで、「見る時間が不足している」旨をユーザに通知することで、ユーザに何らかの対策を取ることを促す。これにより、利便性を高めることができる。ユーザに案内すると、録画時間を減らすことを促す、再生時間を増やすことを促す、早送り等で急いで見ることを促す、などである。
【００５８】
図１１は、最も典型的な再生処理の流れを示すフローチャート図である。設定は、１）電源をＯＮにしない、２）古い順に再生である。
【００５９】
図１１に示すように、ステップＳ８１において、処理が開始され、ステップＳ８２において、タイマーグループにおける再生開始時間になると（Ｙ）、ステップＳ８３に進み、タイマーグループの中で最も再生完了回数が少ない番組を、図１０Ｂに示すアリゴリズムに従って抽出し、ステップＳ８４において、ステップＳ８３で抽出した番組の中から、最も録画開始時間が古い番組を検索する。
【００６０】
次いで、ステップＳ８５において、今回再生しようとしている番組が、前回のタイマーグループ再生と同じ番組であるか否かを判定する。Ｎの場合には、異なる番組であるから、ステップＳ８６に進み、ステップＳ８４で検索した番組の先頭から再生処理を開始する。次いで、ステップＳ８７において、番組の再生が終了したか又はスキップしたか否かを判定し、Ｎの場合には、ステップＳ８８に進み、タイマーグループに設定された再生時間帯が終了したか否かを判定する。
【００６１】
ステップＳ８５でＹの場合には、ステップＳ８９に進み、前回停止した位置から再生を開始し、ステップＳ８７に進む。
【００６２】
ステップＳ８７でＹの場合には、ステップＳ９０に進み、記憶部に記憶されている視聴完了回数を１だけインクリメントし、ステップＳ８３に戻る。ステップＳ８８でＹの場合にはステップＳ９１に進み、再生停止位置を記憶部に記憶し、処理を終了する（ステップＳ９２）。
【００６３】
以上の処理により、録画済み番組をユーザの意図とは関係なく順次再生していくことができる。
【００６４】
尚、上記の例は古い順の設定の場合であるが、新しい順の設定の場合には、抽出部分の優先順位が変わる。また、電源ＯＮにする設定の場合は、開始前に電源ＯＮの処理を追加し、終了時に電源ＯＦＦの処理を追加すれば良い。
【００６５】
図１２は、タイマーグループからの番組の自動削除処理の設定例を示す図である。図１４に示すように、タイマーグループ設定表示において、グループ名３１ｃ、時間３３ｃ、電源設定３５ｃ、再生順３７ｃに加えて、自動削除３８ａ〜３８ｃ、消去までの時間３９ａ・３９ｂが設定入力できるようになっている。
【００６６】
このように、タイマーグループ設定時に、自動削除（消去）のオプションを選べるようにする。
【００６７】
ここで、再生後にグループから削除する設定３８ａは、同じ番組を繰り返し再生したくない場合に設定する。消去しない設定３８ｂは、自動削除は意図に反する可能性があることを考慮してユーザの判断に委ねる意図である。再生後、ＨＤＤから削除する設定３８ｃは、ＨＤＤの容量圧迫を防ぐ意図で、タイマーグループからの削除ではなく、録画済み番組自体を消去するものである。
【００６８】
また、消去までの時間を設定するで、消去までの時間を選べるようにすることもできる。再生後に消去設定３９ａは、再生直後に消去する設定であり、一週間経過したら消去の設定３９ｂは、本実施の形態のおける期間の単位である一週間を超えての録画済み番組の保持はしないようにするものである。時間は、任意に設定できるようにしても良いし、録画又放送時が古いものほど、消去までの時間を短くして、古い番組の意図しない保存を抑制するようにしても良い。
【００６９】
以上に説明したように、本発明によれば、コンテンツ録画再生装置において、録画済みコンテンツを効率良く再生することができる。
【００７０】
次に、本発明の第３の実施の形態による番組録画再生装置について図面を参照しながら説明を行う。装置の構成自体は、基本的には第１の実施の形態と同様である。図８は、本実施の形態による処理のうち、ＴＧＴを作成する処理の流れの他の例を示す図であり、図４に対応する処理の流れを示す図である。
【００７１】
図４に示す例では、ユーザの番組録画予約操作に沿って、ＴＧＴを作成する処理例について説明したが、図１３の処理では、装置側で自動的にＴＧＴを作成する例を示している。この例では、シリーズ記述子に基づいて、同じ又は類似のシリーズ記述子のものを、１つのタイマーグループに含める例について説明する。
【００７２】
【表１】
2013192002.tif 000003
【００７３】
【表２】
2013192002.tif 000004
【００７４】
【表３】
2013192002.tif 000005
【００７５】
【表４】
2013192002.tif 000006
【００７６】
【表５】
2013192002.tif 000007
【００７７】
表１は、シリーズ記述子のデータ構成を示す表である。表２には、表１の各フィールドの意味を示している。表３は、番組の編成パターンを示す表である。その番組のシリーズがどのような編成になっているかが記載されている。表４は、シリーズ記述子の、各フィールドのデータにおいて、放送業者側でどのようなデータとして送出するかに関する送出運用規則を示す表である。表５は、受信側で受信したシリーズ記述子のデータにおける判断規準に等を示す受信処理基準を示す表である。
【００７８】
上記の表に基づいて、シリーズ番組であるか否か、シリーズ番組であればどのような番組編成であるかなどを知ることができる。
【００７９】
図１３に示すように、まず、番組の予約録画操作などを録画番組選択検出部１５−１が検出することにより処理が開始され（ステップＳ３１）、タイマーグループ設定部１５−１０が、その番組はシリーズものであるか否か、或いは、類似する番組名を持つかなどの番組属性を抽出する。次いで、ステップＳ３３において、例えば、録画済み番組の中で、属性が近似（類似）する番組群があるか否かを判断し、番組振り分け部１５−３ａが、属性が近似する番組群をタイマーグループに含める候補として集める（ステップＳ３３）。すなわち、ステップＳ３２で番組属性を抽出した番組が、いずれかのタイマーグループに属するか否かを判定する。但し、どのタイマーグループにも属さない場合又は初回の設定時などにおいては、ステップＳ３４において、例えば初回の場合などにおいては、番組の属性に基づいて、新たなタイマーグループを作成する。以下、ステップＳ３５、Ｓ３６、Ｓ３７に示すように、ユーザ操作又は自動的に、再生時間帯、電源ＯＮ設定、再生順設定を行い、処理を終了する（ステップＳ３８：  Ｅｎｄ）。ターマーグループ候補報知部１５−１３が、タイマーグループの新規作成時又は既存のターマーグループへの所属処理時に、その処理が行われた旨を報知しても良い。
【００８０】
尚、近似する属性を有し、同じタイマーグループに属すると装置が判断する場合には、次の番組の予約録画時に、該当するタイマーグループに属するようにすることができる。
【００８１】
このようにすることで、自動的にタイマーグループの新規作成及び既存のタイマーグループへ所属させる処理を行うことができるため、ユーザの手間がより一層かからなくなる。
【００８２】
次に、本発明の第４の実施の形態による番組録画再生装置について図面を参照しながら説明を行う。装置の構成自体は、基本的には第１の実施の形態と同様である。図１４Ａ、図１４Ｂを参照しながら、本実施の形態による処理のうち、ＴＧＴに基づく再生処理の順序の詳細について説明する。
【００８３】
本実施の形態においては、タイマーグループにおいて、一度再生が終了した番組を再生直後に削除しないことに起因する、再生順序の詳細な例について説明する。図１４Ａ、図１４Ｂは、本実施の形態による再生処理の流れを示すフローチャート図である。
【００８４】
図１４Ａに示すように、図５のステップＳ２５において、タイマーグループテーブルの優先順に再生処理を行った後に、ステップＳ６１において、録画番組毎に、再生完了回数を記憶部１７に保存する。ステップＳ６２で最後まで再生するか否かを判定し、ＹＥＳの場合にはステップＳ６２でＮＯの場合であって、ステップＳ６４で早送りでスキップを行う場合と同様に、ステップＳ６３、ステップＳ６５で、記録済みの再生回数に１をインクリメントして記憶部１７に保存し、処理を終了する（Ｅｎｄ）。この処理により、各番組の再生回数を記憶部１７において正確に記憶することができる。
【００８５】
図１４Ｂは、図１４Ａに示す処理で求め、記憶した再生回数に基づく再生順序のアルゴリズムの一例を示すフローチャート図である。図１４Ｂに示すように、図５のステップＳ２５において、例えば、タイマーグループテーブルの優先順に再生処理を行った後に、ステップＳ６６において、再生完了回数を記憶部１７から読み出し、次いで、同じタイマーグループ内の番組において、再生完了回数が同じものがあるか否かを判定する。
【００８６】
ステップＳ６６の判定の結果、同じタイマーグループ内の番組において再生完了回数が同じ番組がある場合には、ステップＳ６７に進み、ＴＧＴにおける設定に応じて最も新しい番組又は最も古い番組を選び再生を行う。次いで、ステップＳ６６に戻る。
【００８７】
一方、ステップＳ６６において、同じタイマーグループ内の番組において再生完了回数が同じ番組がない場合には、ステップＳ６８に進み、再生完了回数が少ない番組を選択し、ステップＳ６９において選択した番組を再生し、ステップＳ６６に戻る。
【００８８】
尚、上記の処理で、前回のタイマーグループ再生の終了時と同じ番組が選ばれた場合、前回、再生が終了した位置から再生を開始するようにするのが好ましい。この場合には、再生完了回数は、前回と合わせて１だけインクリメントするのが好ましい。
【００８９】
本実施の形態においては、タイマーグループ内における再生処理において、ユーザの望むような手順を自動的に実行させることができるという利点がある。
【００９０】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００９１】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００９２】
また、「コンピュータシステム」は、ＷＷＷシステムを利用している場合であれば、ホームページ提供環境（あるいは表示環境）も含むものとする。
【００９３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００９４】
本発明は、記録再生装置における番組管理装置として利用可能である。
【符号の説明】
【００９５】
Ａ：録画機能付きデジタル放送受信装置、１：チューナー（選局部）、３：映像／音声／データ分離部、５：音声／映像デコード部、７：音声信号合成部、１１：映像／ＯＳＤ信号合成部、１１ａ：ＥＰＧ作成部、１５：制御部（ＣＰＵ）、１５ａ：コンテンツ管理部、１５−１：録画番組選択検出部、１５−２：録画先指定検出部、１５−３：番組グループ選択検出部、１５−４：タイマ、１５−５：再生時間帯抽出部、１５−６：対象番組再生部、１５−７；再生済番組処理部、１５−１０：タイマーグループ設定部、１５−１１：タイマーグループリスト表示処理部、１５−１２：選局・視聴予約割込み検出部、１５−１３：タイマーグループ番組候補報知部、１７：記憶部（メモリ部）、２１：コンテンツ格納部、２３：再生管理テーブル（タイマーグループテーブル）、２５：入力部。
【図１】
2013192002.tif 000008
【図２】
2013192002.tif 000009
【図３】
2013192002.tif 000010
【図４】
2013192002.tif 000011
【図５】
2013192002.tif 000012
【図６】
2013192002.tif 000013
【図７】
2013192002.tif 000014
【図８】
2013192002.tif 000015
【図９】
2013192002.tif 000016
【図１０】
2013192002.tif 000017
【図１１】
2013192002.tif 000018
【図１２】
2013192002.tif 000019
【図１３】
2013192002.tif 000020
【図１４Ａ】
2013192002.tif 000021
【図１４Ｂ】
2013192002.tif 000022